(57)【要約】      （修正有）【課題】出荷、運搬、保管、販売に至るまで容器内部を衛生的に保持することが可能であり、容器を立体化するにあたっては特段の説明を必要とせず極めて容易であって、運搬・保管時に場所を取らずかつ軽量で、ディスプレイ性及び購入者の利便性に優れた紙状素材のフィンガーフード用容器を提供する。【解決手段】シートを折り曲げ、組み立てた後の容器０１００は、袋状で、後記する背面部０１０１と前面部０１０５とが接続部０１０６により接続して容器の壁面を構成し、底面部０１０３によって容器底面が形成される。この容器は、底面部が開口に向かってせり上がることで展開され、立体化する。容器内の食べ物を食べる際、指を入れ易くするため、開口０１１０を弧状にして開口を広げている。【選択図】図１
0003190035.tif 000002
【実用新案登録請求の範囲】
【請求項１】
折り曲げて組み立てることで容器を構成するシートであって、
直列的に配列される背面部、背面部と谷折りとなる第一折り目を介して隣接する背面部接続領域、背面部接続領域と山折りとなる第二折り目を介して隣接する谷折りとなる第三折り目を有する底面部、底面部と山折りとなる第四折り目を介して隣接する前面部接続領域及び、前面部接続領域と谷折りとなる第五折り目を介して隣接する前面部と、
前記前面部と前記背面部とをつなぐための接続部と、
からなるシート。
【請求項２】
背面部接続領域と第二折り目で隣接し底面部と谷折りとなる第六折り目で隣接する副背面部接続領域と、
前面部接続領域と第四折り目で隣接し底面部と谷折りとなる第七折り目で隣接する副前面部接続領域と、
を有する請求項１に記載のシート。
【請求項３】
直列的に配列される背面部、背面部と谷折りである第一折り目を介して隣接する背面部接続領域、背面部接続領域と山折りである第二折り目を介して隣接する谷折りである第三折り目を有する底面部、底面部と山折りである第四折り目を介して隣接する前面部接続領域及び、前面部接続領域と谷折りである第五折り目を介して隣接する前面部と、
前記前面部と前記背面部とをつなぐ接続部と、
からなる容器。
【請求項４】
背面部接続領域と第二折り目で隣接し底面部と谷折りである第六折り目で隣接する副背面部接続領域と、
前面部接続領域と第四折り目で隣接し底面部と谷折りである第七折り目で隣接する副前面部接続領域と、
を有する請求項３に記載の容器。
【請求項５】
前記底面部が有する谷折りである第三折り目を容器外から押し上げることで折り目を展開してなる請求項３又は４に記載の容器。
【考案の詳細な説明】
【技術分野】
【０００１】
本件考案は、一枚の紙を折り曲げ、場合により接着あるいは差し込み接続することによって形成されるフィンガーフード用容器に関する。
【背景技術】
【０００２】
従来より、ファーストフード店等で販売される指でつまんで食べるような食べ物（以下「フィンガーフード」という。）用容器について種々のものが存在する。特に紙製で簡易に組み立て可能な容器が知られている（特許文献１）。
【特許文献１】米国特許番号３,７２６,４６９号
【考案の開示】
【考案が解決しようとする課題】
【０００３】
しかしながら上記発明は下記の問題点がある。すなわち、この容器の底面部は、折りたたまれた状態から下降して展開し立体化するのであるが、底面部の形成や容器の立体化が容易ではないという欠点がある。すなわち、容器の側面を押圧することによって通常は容器の立体化をはかるのであるが、必ずしも容器側面の押圧のみによって立体化されるとは限らず、場合によっては、側面を押圧しても立体化することが難しい場合がある。この場合には、底面に直接力を加えて立体化することになり、底面を下に引っ張って底面の展開を促進することになる。しかし、一般的に底面を下に引っ張るひものようなものは存在しないことから、結果的に容器内部に指を入れて、底面を押し下ろすことになる。このような容器は、食品を入れることを想定しているものであるから、容器内部に指を入れることは衛生上の問題がある。
上記課題に加え、あるいはさらに敷衍すると、フィンガーフード用容器の解決すべき課題は、以下のようにまとめられる。
【０００４】
（衛生面）
フィンガーフード用容器は、食べ物を中に入れるものであることから、容器の出荷、店舗への運搬、各店舗での保管、店舗での使用・販売に至るまで衛生的に保たれうるものであることが必要である。そこで、フィンガーフード用容器は、出荷・運搬・保管の際に、容器内側が外にさらされず、かつ容器内側の面同士が合わさって閉じた状態で保持されうるものであることが好ましい。また、店舗従業員が容器に食べ物を入れるときなどに容器を立体化する際、容器の内部に手を入れずとも立体化できるものであることが好ましい。
【０００５】
（立体化の容易性）
フィンガーフード用容器は、コンビニエンスストア、ファーストフード店、持ち帰り弁当店等の店舗において、従業員が、容器の中に食べ物を入れる際に立体化することを想定して作られるものである。これらの店舗はフランチャイズ化され全国的に展開するものが多く、店舗数は膨大なものになる。また、これらの店舗の従業員は、アルバイト店員であることが多く、人的流動が激しいという特性がある。したがって、これらの店舗で取り扱われる容器の使用方法は、各店舗に対するマニュアルの頒布や、従業員に対する、あるいは従業員間での特段の技能の伝達等を必要とせず、誰もが、その容器を見ただけで容器を立体化して使用できるようなものであることが好ましい。
【０００６】
（運搬・保管の便宜）
フィンガーフード用容器は、全国各地のコンビニエンスストア等の店舗へと運搬されるものであるから、運搬スペースを取らないシート状・平面状で軽量のものが好ましい。また、店舗での保管に際しても、狭小な保管スペースにも耐えられるように、シート状・平面状で保管できるものが好ましい。
【０００７】
（店頭でのディスプレイ性、購入者の利便性）
フィンガーフード用容器は、コンビニ店等の店頭に陳列販売されることを想定しているものであるから、食べ物が入った状態で安定して自立し、ディスプレイ性に優れるものであることが好ましい。また、購入者が食べ物を指でつまんで食べる際、指を入れることが容易で、かつ食べ物の屑等で書類を汚さないようにするためにも安定して自立する容器であることが好ましい。
【課題を解決するための手段】
【０００８】
以上の課題を解決するため、第一の考案は、折り曲げて組み立てることで容器を構成するシートであって、直列的に配列される背面部、背面部と谷折りとなる第一折り目を介して隣接する背面部接続領域、背面部接続領域と山折りとなる第二折り目を介して隣接する谷折りとなる第三折り目を有する底面部、底面部と山折りとなる第四折り目を介して隣接する前面部接続領域及び、前面部接続領域と谷折りとなる第五折り目を介して隣接する前面部と、前記前面部と前記背面部とをつなぐための接続部と、からなるシートを提供する。
【０００９】
第二の考案は、背面部接続領域と第二折り目で隣接し底面部と谷折りとなる第六折り目で隣接する副背面部接続領域と、前面部接続領域と第四折り目で隣接し底面部と谷折りとなる第七折り目で隣接する副前面部接続領域と、を有する請求項１に記載のシートを提供する。
【００１０】
第三の考案は、直列的に配列される背面部、背面部と谷折りである第一折り目を介して隣接する背面部接続領域、背面部接続領域と山折りである第二折り目を介して隣接する谷折りである第三折り目を有する底面部、底面部と山折りである第四折り目を介して隣接する前面部接続領域及び、前面部接続領域と谷折りである第五折り目を介して隣接する前面部と、前記前面部と前記背面部とをつなぐ接続部と、からなる容器を提供する。
【００１１】
第四の考案は、背面部接続領域と第二折り目で隣接し底面部と谷折りである第六折り目で隣接する副背面部接続領域と、前面部接続領域と第四折り目で隣接し底面部と谷折りである第七折り目で隣接する副前面部接続領域と、を有する請求項３に記載の容器を提供する。
【００１２】
第五の考案は、前記底面部が有する谷折りである第三折り目を容器外から押し上げることで折り目を展開してなる請求項３又は４に記載の容器を提供する。
【考案の効果】
【００１３】
本件考案によれば、底面がせり上がって展開し、立体化するので、従来のように底面が下がる構造と比べて立体化が容易である。さらに出荷、運搬、保管、販売に至るまで容器内部を衛生的に保持することが可能であり、容器を立体化するにあたっては特段の説明を必要とせず極めて容易であって、運搬・保管時に場所を取らずかつ軽量で、ディスプレイ性及び購入者の利便性に優れた紙状素材のフィンガーフード用容器を提供することができる。
【考案を実施するための最良の形態】
【００１４】
以下に本件考案の実施例を説明する。実施例１は主に請求項１及び３について、実施例２は主に請求項２及び４について、実施例３は主に請求項５について説明している。なお、本考案はこれらの実施例に限定されるものではなく、その要旨を逸脱しない範囲において、種々なる態様で実施しうる。
≪実施例１≫
【００１５】
<概要>
本実施例のシートは、所定の折り目で山折りあるいは谷折りすることで組み立てられ、前面部及び背面部が容器の壁面を構成し、底面部が広げられることにより内部に袋状の空間を有する容器となるシートである。このシートは一枚の紙状素材ででき、立体化させたときに安定して自立する。さらにこのシートは、中に入れる食べ物の種類、大きさ、個数等に合わせて大きさ、素材等を容易に変更することができる。なお、本実施例の説明では第一の考案にかかるシートと第三の考案にかかる容器とは構成を同じくしており、第一の考案にかかるシートを所定の折り目で折ることで形成されるのが第三の考案にかかる容器であるから、以下の説明は、両者に共通する。
【００１６】
<構成>
（シートの概要・特徴）
本実施例のシートは、直列的に配列される背面部、背面部と谷折りとなる第一折り目を介して隣接する背面部接続領域、背面部接続領域と山折りとなる第二折り目を介して隣接する谷折りとなる第三折り目を有する底面部、底面部と山折りとなる第四折り目を介して隣接する前面部接続領域及び、前面部接続領域と谷折りとなる第五折り目を介して隣接する前面部と、前記前面部と前記背面部とをつなぐための接続部とからなる。
【００１７】
図１は、本実施例のシートの概念を説明するための図であり、シートを折り曲げ、組み立てた後の容器０１００の正面図である。立体化した容器は、この図に示すような袋状（後記する背面部０１０１と前面部０１０５とが接続部０１０６（背面に接続しているため点線で示されている部分）により接続して容器の壁面を構成し、底面部０１０３によって容器底面が形成された状態）を有する。この容器は、底面部が開口に向かってせり上がることで展開され、立体化する。本実施例においては、容器内の食べ物を食べる際、指を入れ易くするため、開口０１１０を弧状にして開口を広げている。
図２は同容器を背面から見た図である。
【００１８】
このシートの素材として考えられるものは、典型的には紙であり、中に入れる食べ物を保持できるだけの強度を有し、油分のある食物と接触した場合あるいは水分を含んでいる食物と接触した場合でも、食べ物に変異を来たさないような、油分や水分で変質したり、溶けたり、化学反応をおこして有害化しないような素材が該当する。また、上記の性質を有する限りでビニール等のコーティングを施したものであってもよい。紙のサイズ、形状は、中に入れる食べ物に応じて自由に設計することができる。ここで考えられる食べ物とは、例えば、から揚げ、フライドポテト、ドーナツ、チョコレートなどである。
【００１９】
本実施例のシートの各部について、図３を用いて説明する。このシートは、折り目にて区分けされ直列的に配列される背面部０３０１、背面部接続領域０３０２、底面部０３０３、前面部接続領域０３０４、前面部０３０５、前面部と背面部とをつなぐための接続部０３０６とからなる。接続部について本実施例においては、前面部の両脇に設けてこれを折り返し、背面部に接続することにより、袋状の容器としている。あるいは本実施例と異なり、接続部を背面部に設ける構成としても、あるいは前面部及び背面部双方に設ける構成としてもよい。
【００２０】
本実施例のシートの各折り目について、同じく図３を用いて説明する。背面部と背面部接続領域とは谷折りとなる第一折り目０３１１を介して隣接する。谷折りとは、容器の内側を上から見た場合、当該折り目が折り曲げられると、折り目を挟んで隣接する内側の面同士が近づく方向の折り方をいう。背面部接続領域と底面部とは山折りとなる第二折り目０３１２を介して隣接する。山折りとは、谷折とは逆に、当該折り目が折り曲げられると、折り目を挟んで隣接する内側の面同士が離れる方向の折り方をいう。底面部はその中央部分に谷折りとなる第三折り目０３１３を有する。底面部と前面部接続領域とは山折りとなる第四折り目０３１４を介して隣接する。前面部接続領域と前面部とは谷折りとなる第五折り目０３１５を介して隣接する。上記の各折り目には、折り曲げを容易にするため、エンボスあるいはミシン目加工等を施してもよい。
以下、各部について図３等を用いて説明する。
【００２１】
（背面部及び背面部接続領域）
「背面部」０３０１とは、シートを容器として組み立てた後に容器の背面を形成する部分であり、第一折り目０３１１を介して後記する背面部接続領域０３０２と隣接する。
「背面部接続領域」０３０２とは、背面部と底面部との中間に位置する領域であり、シートを容器として形成する際、背面部側に寄せられる部分をいう。この背面部接続領域は、底面の領域を広げ美観を向上させる観点から、背面部内側にできるだけ密着させることが好ましく、のり等の接着剤を用いて背面部内側に接着する方法が考えられる。
谷折りされる第一折り目は、後記する第五折り目とともに容器が自立するための脚となる。
【００２２】
（前面部及び前面部接続領域）
「前面部」０３０５とは、シートを容器として組み立てた後に容器の前面を形成する部分であって、第五折り目０３１５を介して後記する前面部接続領域０３０４に隣接する部分である。
「前面部接続領域」０３０４とは、前面部と底面部との中間に位置する領域であり、シートを容器として形成する際、前面部側に寄せられる部分をいう。この前面部接続領域は、底面の領域を広げ美観を向上させる観点から、前面部にできるだけ密着させることが好ましく、のり等の接着剤を用いて前面部内側に接着する方法が考えられる。第五折り目は容器として形成されるときに、前記した第一折り目とともに容器が自立するための脚となる。
【００２３】
（接続部）
「接続部」０３０６とは、前面部又は背面部の両側から延出する部分であり、シートを容器として組み立てる際、容器の前面部と背面部とをつないで容器壁面を形成する部分である。接続部は、前面部に設けられている場合には背面部に接続し、背面部に設けられている場合には前面部に接続する。
【００２４】
（底面部）
「底面部」０３０３とは、シートを容器として組み立てた後に容器の底面を形成する部分であり、背面部接続領域０３０２と前面部接続領域０３０４に挟まれている部分である。底面部と背面部接続領域とは山折される第二折り目を挟んで接し、底面部と前面部接続領域とは山折される第四折り目を挟んで接している。底面部の中央部分には谷折りとなる第二折り目が設けられている。容器として立体化する際、この容器底面部の谷折り部分が展開することにより、底面部が拡大し、袋状の空間が形成される。
【００２５】
本件考案の最大の特徴はこの底面部が内側にせり上がるように展開する点である。図４は底面を展開することを説明する図である。底面がせり上がる構造は、底面が下がる構造よりも、底面を展開することが容易である。また、容器の外側から底面を押すことにより底面を展開することが可能であるため、特に食べ物を入れる容器の場合には、容器の内側に触れることなく容器を形成すること可能であり、衛生面でも優れた構造といえる。この底面については、底面領域を広げ底面部の美観を向上させる観点から、エンボス加工等で底面部となる輪郭をあらかじめ形成しておいてもよい。
【００２６】
（各折り目での折りたたみ方）
第一から第五までの各折り目に着目すると、第一折り目は谷折り、第二折り目は山折り、第三折り目は谷折り、第四折り目は山折り、第五折り目は谷折りとなり、谷折りと山折りとが交互に繰り返される。図５は第一から第五までの折り目を所定の折り曲げ方で折り曲げた場合のシートの断面図である。この各折り目はどの順番で折り曲げられてもよい。
【００２７】
（蓋部を有する容器への応用）
本実施例を応用し、蓋部を有する容器を構成するシートとしてもよい。図６はこの蓋部を有する容器を構成するシートの概念図である。背面部から延出する蓋部０６２１を設け、その蓋部の先端に差込片０６２２を設け、前面部に前記差込片がうまく嵌合するように差込スリット０６２３を設け、前記差込片を前記差込スリットに入れて、蓋部を固定する容器とすることが可能である。以下蓋部に関する各部を簡単に説明する。
【００２８】
（蓋部を有する容器の構成）
「蓋部」０６２１とは、容器開口部分を覆う部分である。
「差込片」０６２２とは、蓋部の先端に設けられ、後記差込スリットに入れることで蓋部が容器開口を閉じた状態を固定する部である。
「差込スリット」０６２３とは、シートを容器として組み立てた後に、容器前面部に形成される差込部を差し込むための切れ込みである。この切れ込みは、差込部を差込スリットに差し込んで蓋の固定に資する形状であれば足りる。図面では、前面部に差込を入れる形状としているが、他の方法としては、前面部の開口縁部の中心に２本の切れ込みを入れ、その切れ込みと差込部を嵌合するものも考えられる。
【００２９】
図７は蓋部を有するシートを立体化した容器について、蓋を解放した状態の正面図である。図８は、同容器の背面部である。図９は本容器の蓋を閉めた状態の正面図である。
【００３０】
<効果>
本実施例により、出荷、運搬、保管、販売に至るまで容器内部を衛生的に保持することが可能であり、容器を立体化するにあたっては特段の説明を必要とせず極めて容易に行えて、運搬・保管時に場所を取らずかつ軽量で、ディスプレイ性及び購入者の利便性に優れた紙状素材のフィンガーフード用容器を提供することができる。
≪実施例２≫
【００３１】
<概要>
本実施例のシート及び容器は、実施例１記載のシート及び容器について、容器として組み立てたときに、前面部及び背面部の容器内側部分に密着させるようにして容器内壁を形成する部分である副背面部接続領域及び副前面部接続領域を有することを特徴とする。この副背面部接続領域及び副前面部接続領域があることにより、底面部の形成がより容易でかつ、容器全体が美観に優れたものになるとの特徴を有する。なお、第二の考案にかかるシートを所定の折り目で谷折りあるいは山折りしたのが第四の考案にかかる容器であるから、以下の説明は両者に共通する。
【００３２】
<構成>
本実施例のシート及び容器は、背面部接続領域と第二折り目で隣接し底面部と谷折りとなる第六折り目で隣接する副背面部接続領域と、前面部接続領域と第四折り目で隣接し底面部と谷折りとなる第七折り目で隣接する副前面部接続領域とを有する実施例１に記載のシート及び容器である。
【００３３】
（副背面部接続領域及び副前面部接続領域）
本実施例について、本実施例のシートの展開図である図１０を用いて説明する。
「副背面部接続領域」１００７（斜線による網かけで示されている部分）と「副前面部接続領域」１００８（格子による網かけで示されている部分）とは、底面部１００３を形成する楕円状の部分を除いた領域である。副背面部接続領域と底面部とは第六折り目１０１６を境界で接し、副前面部接続領域と底面部とは第七折り目１０１７を境界で接している。容器として形成された場合には副背面部接続領域は背面部１００１に、副前面部接続領域は前面部１００５に、それぞれ容器内側部分に密着させるようにして容器内壁を形成する。第六折り目及び第七折り目については、折り曲げが容易なようにあらかじめエンボス・ミシン目等の加工を施してもよい。
【００３４】
（蓋部を有する容器への応用）
実施例１と同様、本実施例においても背面部から延出する蓋部を設け、その蓋部の先端に差込片を設け、前面部に前記差込片がうまく嵌合するように差込スリット等を設けて、前記差込片を前記差込スリット等に入れるなどし、蓋部を閉じた状態で固定しうる容器とすることも可能である。
【００３５】
<効果>
本実施例により、出荷、運搬、保管、販売に至るまで容器内部を衛生的に保持することが可能であり、容器を立体化するにあたっては特段の説明を必要とせず極めて容易であって、とりわけ底面の形成がより容易でかつ、容器全体が美観に優れたものになるとの特徴を有し、運搬・保管時に場所を取らずかつ軽量で、ディスプレイ性及び購入者の利便性に優れた紙状素材のフィンガーフード用容器を提供することができる。
≪実施例３≫
【００３６】
<概要>
本実施例の容器は、第三及び第四の考案に係る容器について、特に底面部を所定の方法で形成してなる容器に関するものである。
【００３７】
<構成>
本実施例の容器は、その基本的構成を第三及び第四の考案に係る容器の構成と同じくし、底面部の中央部に設けられている谷折りの第三折り目を、容器外から押し上げることで底面部を展開して立体化させる。
【００３８】
図１１は、本実施例を説明するための図であり、容器底面部を下方向・外側から見た図である。本図中の矢印は力の方向を示す。本実施例の容器は、容器底面部の中央部に設けられている谷折りの第三折り目１１１３を、容器底面部の外側から容器開口部方向に向けて押し上げることで展開し、容器を立体化する。
【００３９】
<効果>
本実施例により、出荷、運搬、保管、販売に至るまで容器内部を衛生的に保持することが可能であり、容器を立体化するにあたっては特段の説明を必要とせず極めて容易であって、運搬・保管時に場所を取らずかつ軽量で、ディスプレイ性及び購入者の利便性に優れた紙状素材のフィンガーフード用容器を提供することができる。また、容器に用いる紙の剛性いかんにかかわらず、底面部を容易に展開することができるので、用いる素材を選ばず立体化がさらに容易な容器を提供することかできる。
【図面の簡単な説明】
【００４０】
【図１】組立後の容器の正面図
【図２】組立後の容器の背面図
【図３】実施例１のシートの展開図
【図４】底面部の概念図
【図５】第一から第５折り目を説明するための折り曲げられたシートの断面図
【図６】蓋部、差込片及び差込スリットの設けられた実施例１のシートの展開図
【図７】蓋部、差込片及び差込スリットの設けられた容器の正面図
【図８】蓋部、差込片及び差込スリットの設けられた容器の背面図
【図９】差込片を差込スリットに挿入し、蓋部を係止した容器の正面図
【図１０】副背面部接続領域及び副前面部接続領域を有する実施例２のシートの展開図
【図１１】実施例３を説明するため容器底面部を下方向・外側から見た図
【符号の説明】
【００４１】
０３０１      背面部
０３０２      背面部接続領域
０３０３      底面部
０３０４      前面部接続領域
０３０５      前面部
０３０６      接続部
１００７      副背面部接続領域
１００８      副前面部接続領域
０３１１      第一折り目
０３１２      第二折り目
０３１３      第三折り目
０３１４      第四折り目
０３１５      第五折り目
１０１６      第六折り目
１０１７      第七折り目
【図１】
0003190035.tif 000003
【図２】
0003190035.tif 000004
【図３】
0003190035.tif 000005
【図４】
0003190035.tif 000006
【図５】
0003190035.tif 000007
【図６】
0003190035.tif 000008
【図７】
0003190035.tif 000009
【図８】
0003190035.tif 000010
【図９】
0003190035.tif 000011
【図１０】
0003190035.tif 000012
【図１１】
0003190035.tif 000013